(57)【要約】【課題】紙幣を金種ごとに施封して放出口から放出する紙幣処理装置において、複雑な機構を要することなく、紙幣を金種ごとに仕分けて放出できるようにする。【解決手段】紙幣を金種ごとに集積する集積手段７と、当該集積手段７に集積した紙幣を施封し放出口１３から放出する施封手段１２と、を備えた紙幣処理装置１において、前記施封手段１２にて施封された紙幣束２０を、紙幣の金種ごとに設定した放出速度Ｖに基づいて放出するようにした。【選択図】図１
2011123573.tif 000002
【特許請求の範囲】
【請求項１】
紙幣を種類ごとに集積する複数の集積手段と、当該集積手段に集積した紙幣を施封し放出口から放出する施封手段と、を備えた紙幣処理装置であって、
前記施封手段にて施封された紙幣束を、紙幣の種類ごとに設定した放出速度に基づいて放出するようにしたことを特徴とする紙幣処理装置。
【請求項２】
紙幣を種類ごとに集積する複数の集積手段と、当該集積手段に集積した紙幣を施封して放出口から放出する施封手段と、当該放出口近傍に支点を有し上下に回動可能なガイドと、を備えた紙幣処理装置であって、
前記施封手段にて施封された紙幣束を、紙幣の種類ごとに設定したガイドの放出角度に基づいて放出するようにしたことを特徴とする紙幣処理装置。
【発明の詳細な説明】
【技術分野】
【０００１】
本発明は、金融機関等に設置され紙幣等を取り扱う紙幣処理装置において、紙幣束を金種判別し易いように放出する技術に関する。
【背景技術】
【０００２】
従来の紙幣処理装置は、投入部に集積された紙幣を分離して認識部に搬送し、認識部によって紙幣が真券であることを確認すると、その紙幣をさらに一時集積部に搬送して集積して、その一時集積部に紙幣が所定の枚数分集積されると、当該紙幣を搬送手段によって一時集積部から施封部に搬送して、施封部にて紙幣束とし、放出口に放出している（例えば、特許文献１参照。）。
【先行技術文献】
【特許文献】
【０００３】
【特許文献１】特開２００７−６６２４９号公報（段落「００１９」−段落「００２１」、図１）
【発明の概要】
【発明が解決しようとする課題】
【０００４】
しかしながら、上記従来の紙幣処理装置では、紙幣束の金種に関わらず放出口から同じように放出しているため、施封して放出する紙幣束の金種が複数あり多量に放出する場合では、放出された複数の紙幣束を金種ごとに整理するのに時間が掛かってしまうという問題があった。
【０００５】
また、この整理のための時間を短くするために、金種ごとに整理する複雑な機構を設けると、装置コストが上がってしまうという問題があった。
【課題を解決するための手段】
【０００６】
本発明は、前述の課題を解決するため次の構成を採用する。すなわち、紙幣を種類ごとに集積する複数の集積手段と、当該集積手段に集積した紙幣を施封し放出口から放出する施封手段と、を備えた紙幣処理装置であって、前記施封手段にて施封された紙幣束を、紙幣の種類ごとに設定した放出速度に基づいて放出するようにした。
【発明の効果】
【０００７】
本発明の紙幣処理機によれば、紙幣を種類ごとに集積する複数の集積手段と、当該集積手段に集積した紙幣を施封し放出口から放出する施封手段と、を備えた紙幣処理装置であって、前記施封手段にて施封された紙幣束を、紙幣の種類ごとに設定した放出速度に基づいて放出するようにしたので、装置コストを高くすることなく、放出された複数の紙幣束を金種ごとに整理する時間を短くすることができる。
【図面の簡単な説明】
【０００８】
【図１】実施例１の紙幣処理装置の構成図である。
【図２】実施例１の紙幣処理装置の動作説明図である。
【図３】実施例２の紙幣処理装置の構成および動作説明図である。
【発明を実施するための形態】
【０００９】
以下、本発明に係わる実施の形態例を、図面を用いて説明する。図面に共通する要素には同一の符号を付す。
【実施例１】
【００１０】
（構成）
図１は実施例１の紙幣処理装置１の概略構成図であり側面図を示す。同図において、１は紙幣処理装置であり、２は紙幣受入部であり、紙幣を集積して収納するための収納空間を有しており、紙幣処理装置１の筐体に設けられた図示しない紙幣投入口に投入された紙幣を受け入れて収納する。
【００１１】
紙幣受入部２は、その収納空間にビルプレスを設け、また、収納空間内に一部が突出するように配された繰出ローラを設けていることで、ビルプレスと繰出ローラとで分離機構を構成し、収納した紙幣をビルプレスによって繰出ローラに押圧して繰出ローラを回転させ、紙幣を搬送路に繰り出す機能を有する。
【００１２】
３は搬送路であり、紙幣受入部２から繰出された紙幣を紙幣処理装置１の各部へと搬送し、その途中にブレード１０を複数設けており、このブレード１０を図示しない駆動部により回動させ紙幣の搬送方向を切り替えるようになっている。
【００１３】
また、搬送路３の各所には光学式等の検知センサが複数設けられており、この検知センサによって搬送されている紙幣を検知する他、重送や搬送ジャム等の搬送エラーを検知する。
【００１４】
４は紙幣鑑別部であり、搬送される紙幣の真偽や正損、金種等を鑑別すると共に鑑別した紙幣の枚数を計数する機能を有する。
【００１５】
５は紙幣返却部であり、紙幣鑑別部４で偽券や金種不明と鑑別されたリジェクト紙幣や搬送エラー発生時に搬送路３に繰出されている紙幣等の返却対象の紙幣を集積する。
【００１６】
６はオープンポケットであり、紙幣処理装置１の上面に設けられており、結束対象外の金種の紙幣を集積する。なお、図１の実施例１の紙幣処理装置においては、オープンポケット６を２個設けた例を示したが、１つとする場合もあり３つ以上とする場合もある。
【００１７】
７ａ１、７ａ２、７ｂ〜７ｄは集積手段としての集積部であり、筐体内に設けられて縦一列に並べられており、それぞれ予め定められた金種の紙幣を一定枚数集積するようになっている。例えば、集積部７ａ１、７ａ２に千円札、集積部７ｂ、７ｃ、７ｄに順に二千円札、５千円札、１万円札を集積するようにする。なお、この集積部についても、本実施例ではその数を５つとしているが、１金種１個の集積部とした４個程度とする場合もあるし、取り扱う量が多い金種の集積部を複数設けるようにした６個以上とする場合もある。
【００１８】
８はハンド部であり、筐体内に設けられて垂直方向および水平方向に移動するものとなっており、集積部７ａ１、７ａ２、７ｂ〜７ｄと施封手段としての施封部１２との間で紙幣の抜き取りや受け渡し等の移送を行う機能を有する。
【００１９】
ハンド部８は、上下動する２枚の可動板を有してその２枚の可動板で紙幣を挟持すると共に、集積部７ａ１、７ａ２、７ｂ〜７ｄから施封部１２へと移動することで紙幣の抜き取りを行い、施封部１２内で紙幣を挟持した状態から可動板の間隔を広げることで紙幣を後述する上部ベルト１２ａ、下部ベルト１２ｂに受け渡すようになっている。
【００２０】
１２は施封部であり、ハンド部８から紙幣を引き取って紙テープ等による施封用の帯で紙幣を束ねて紙幣束２０を作る機能を有する。
【００２１】
また、施封部１２内には、ハンド部８から紙幣を受け取る位置から放出口１３に向かって延びる上下一対で、かつ平行に配置された上部ベルト１２ａおよび下部ベルト１２ｂを設けており、この上下のベルト間で紙幣束２０を挟持することで、紙幣束２０を放出口１３から装置外へと放出する。
【００２２】
また、１６は制御部であり、記憶部１７に格納された制御プログラムに従って各部の動作を制御するものである。１７は記憶部であり、制御プログラムを格納する他、制御部１６による処理結果等を記憶する。
【００２３】
１８は表示操作部であり、紙幣処理装置１の筐体上部に設けられており、紙幣の施封等の各種処理の選択キー等を配した処理選択画面や、操作案内の画面等を表示する表示画面を備える他、表示画面上にタッチパネルを配し、処理選択画面で入力された内容を受付ける機能を有する。
【００２４】
（動作）
以上の構成にて、実施例１の紙幣処理装置は以下のように動作する。なお、本実施例においては、千円札、二千円札、５千円札、１万円札の４種類の金種が混在した複数枚の紙幣が投入され、それらを金種ごとにまとめて施封して放出する例として以下説明する。
【００２５】
紙幣処理装置１の制御部１６は、表示操作部１８に処理選択画面を表示して待機しており、係員によって紙幣の施封を指定する施封処理のキーが押下されると、施封する紙幣の施封枚数等の施封条件を設定するための入力欄やテンキー等を配した条件設定画面を表示する。
【００２６】
制御部１６は、係員によって入力された施封条件を記憶部１７に記憶し、紙幣を紙幣受入部３に投入するように促す画面と共に紙幣の搬送の開始キーを配した紙幣投入指示画面を表示操作部１８に表示する。
【００２７】
係員は、紙幣投入指示画面に従って紙幣受入部３に紙幣を投入し開始キーを押下する。
制御部１６は、開始キーの押下を認識すると、係員により投入された紙幣を分離機構によって１枚ずつ分離して繰出し、繰出した紙幣を搬送路３により紙幣鑑別部４に搬送する。
【００２８】
制御部１６は、紙幣鑑別部４により紙幣の金種や真偽搬送した紙幣の鑑別を行い、その鑑別から金種が確定した紙幣を搬送路３によって集積部７ａ１、７ａ２、７ｂ〜７ｄの何れかに搬送することによって金種毎に分けて集積する。
【００２９】
なお、制御部１６は、リジェクト紙幣と鑑別した紙幣を搬送路３によって紙幣返却部５に搬送しリジェクト紙幣を顧客に返却するようにしている。
【００３０】
制御部１６は、各集積部７ａ１、７ａ２、７ｂ〜７ｄに搬送した紙幣を図示しないセンサによってカウントし、例えば、集積部７ａ１に紙幣を施封枚数として、例えば１００枚分搬送したことを認識したとき、ハンド部８を垂直移動させることにより集積部７ａ１の側方に位置させてから集積部７ａ１内に水平移動させ、集積部７ａ１内の集積紙幣を挟持して集積部７ａ１の外に水平移動させることにより集積紙幣を抜き取り、挟持している集積紙幣を施封部１２に受け渡す。
【００３１】
ここで、集積紙幣は、その紙幣短手方向と上部ベルト１２ａおよび下部ベルト１２ｂによる搬送方向とが一致する向きで施封部１２に受け渡されて上部ベルト１２ａおよび下部ベルト１２ｂによって搬送される。これは施封部１２により集積紙幣に巻き付ける施封用の帯は紙幣の短手方向に巻き付けるためであり、後述の施封された紙幣束２０は上部ベルト１２ａおよび下部ベルト１２ｂによって紙幣長手方向の両端部が挟持されて搬送される。
【００３２】
次に、制御部１６は、集積紙幣を施封部１２により紙幣束２０に施封すると共に、その紙幣束２０の金種に応じて放出速度を変えるために金種に応じた紙幣束放出速度を決定する。この紙幣束放出速度の決定は、例えば、集積部に応じた紙幣放出速度を記憶部１７等に格納しておき、抜き取った集積部７ａ１、７ａ２、７ｂ〜７ｄに応じた紙幣束放出速度を抽出するようにすればよい。
【００３３】
すなわち、集積部７ａ１または７ａ２の集積紙幣を抜き取った場合は、金種は千円であるので、紙幣束２０を上部ベルト１２ａおよび下部ベルト１２ｂより放出口１３に搬送し、最も遅い放出速度Ｖａで装置外に放出する。放出速度Ｖａで放出された紙幣束２０は最も放出速度が遅いのでエリアＡ（８ａ）の位置に落下する。
【００３４】
同様に、集積部７ｂ、７ｃ、７ｄの集積紙幣を抜き取った場合は、それぞれ金種は二千円、５千円、１万円であるので、それぞれ速度Ｖｂ、速度Ｖｃ、速度Ｖｄで装置外に放出され、放出された紙幣束２０はエリアＢ（８ｂ）、エリアＣ（８ｃ）、エリアＤ（８ｄ）の位置に落下する。
【００３５】
なお、図１に示したように、紙幣処理装置１の放出口１３の近傍に放出される紙幣束２０を受ける箱を各エリアに用意しておけば、金種ごとに紙幣束２０が自動的に仕分けされるので、係員が金種ごとに仕分けをする必要がなくなる。
【００３６】
（実施例１の効果）
以上の様に、実施例の紙幣処理装置によれば、金種ごとに設定された放出速度により紙幣束を放出するようにしたので、装置コストを高くすることなく、放出された紙幣束を金種ごとに整理する時間を短くすることができる。
【実施例２】
【００３７】
（構成）
実施例２の紙幣処理装置の構成は、図３に示したように実施例１の構成にガイド９を設けた構成としている。その他の構成は、実施例１の構成と同様であるので、簡略化のためにその詳細な説明を省略する。
【００３８】
ガイド９は、支点９ｘを支点として回動可能なガイドであり、金種に応じて９ａ〜９ｄに回動し、放出された紙幣が落下する位置を変えられるようになっている。
【００３９】
（動作）
以上の構成にて、実施例２の紙幣処理装置は以下のように動作する。この動作を図３の構成および動作説明図および構成が同一の部分については図１の構成図を用いて以下説明する。なお、本実施例においても、千円札、二千円札、５千円札、１万円札の４種類の金種が混在した複数枚の紙幣が投入され、それらを金種ごとにまとめて施封し放出する例として以下説明する。
【００４０】
紙幣処理装置１の制御部１６は、表示操作部１８に処理選択画面を表示して待機しており、係員によって紙幣の施封を指定する施封処理のキーが押下されると、施封する紙幣の施封枚数等の施封条件を設定するための入力欄やテンキー等を配した条件設定画面を表示する。
【００４１】
制御部１６は、係員によって入力された施封条件を記憶部１７に記憶し、紙幣を紙幣受入部３に投入するように促す画面と共に紙幣の搬送の開始キーを配した紙幣投入指示画面を表示操作部１８に表示する。すると、係員は、紙幣投入指示画面に従って紙幣受入部３に紙幣を投入し開始キーを押下する。
【００４２】
制御部１６は、開始キーの押下を認識すると、係員により投入された紙幣を分離機構によって１枚ずつ分離して繰出し、繰出した紙幣を搬送路３により紙幣鑑別部４に搬送する。
【００４３】
制御部１６は、紙幣鑑別部４により紙幣の金種や真偽搬送した紙幣の鑑別を行い、その鑑別から金種が確定した紙幣を搬送路３によって集積部７ａ１、７ａ２、７ｂ〜７ｄの何れかに搬送することによって金種毎に分けて集積する。
【００４４】
制御部１６は、各集積部７ａ１、７ａ２、７ｂ〜７ｄに搬送した紙幣を図示しないセンサによってカウントし、例えば、集積部７ａ１に紙幣を施封枚数として、例えば１００枚分搬送したことを認識したとき、ハンド部８を垂直移動させることにより集積部７ａ１の側方に位置させてから集積部７ａ１内に水平移動させ、集積部７ａ１内の集積紙幣を挟持して集積部７ａ１の外に水平移動させることにより集積紙幣を抜き取り、挟持している集積紙幣を施封部１２に受け渡す。
【００４５】
ここで、集積紙幣は、その紙幣短手方向と上部ベルト１２ａおよび下部ベルト１２ｂによる搬送方向とが一致する向きで施封部１２に受け渡されて上部ベルト１２ａおよび下部ベルト１２ｂによって搬送される。
【００４６】
制御部１６は、集積紙幣を施封部１２により紙幣束２０に施封すると共に、その紙幣束２０の金種に応じた紙幣束放出角度を決定する。この紙幣束放出角度の決定は、例えば、集積部に応じた紙幣放出角度を記憶部１７等に格納しておき、抜き取った集積部７ａ１、７ａ２、７ｂ〜７ｄに応じた紙幣束放出角度を抽出するようにすればよい。
【００４７】
すなわち、制御部１６は、集積部７ａ１または７ａ２の集積紙幣を抜き取った場合は、金種は千円であるので、紙幣束２０を上部ベルト１２ａおよび下部ベルト１２ｂより放出口１３に搬送し、ガイド９を９ａの位置として紙幣を装置外に放出する。この場合、放出速度Ｖで放出された紙幣束２０はガイド９ａに沿って放出されるので、エリアＡ（８ａ）近傍に落下する。
【００４８】
同様に、集積部７ｂ、７ｃ、７ｄの集積紙幣を抜き取った場合は、それぞれ金種は二千円、５千円、１万円であるので、それぞれガイド９ｂ、９ｃ、９ｄの位置として紙幣を装置外に放出すると、放出された紙幣束２０はエリアＢ（８ｂ）、エリアＣ（８ｃ）、エリアＤ（８ｄ）近傍に落下する。
【００４９】
なお、図３に示したように、実施例１と同様、紙幣処理装置１の放出口１３の近傍に放出される紙幣束２０を受ける箱を各エリアに用意しておけば、金種ごとに紙幣束２０が自動的に仕分けされるので、係員が金種ごとに仕分けをする必要がなくなる。
【００５０】
以上の実施例の説明では、放出速度を変えず、ガイド９の角度を変えるように説明したが、実施例２のようにガイド９の角度とともに実施例１のように放出速度も金種に応じて変えるようにすれば、さらに落下位置に差異をつけることができ、確実に仕分けすることができる。
【００５１】
（実施例２の効果）
以上の様に、実施例２の紙幣処理装置によれば、紙幣放出口近傍にガイドを設け、当該ガイドの角度を金種ごとに変えるようにしたので、簡単な機構で金種ごとに仕分けをすることができ、放出された紙幣束を金種ごとに整理する時間を短くすることができる。
【００５２】
《その他変形例》
以上の実施例では、金種を千円札、二千円札、５千円札、１万円札の４種類を例として説明したが、紙幣の金種が少ない場合でも、逆に金種が多い場合でも本発明を適用することができる。また、金種とは別に或いは金種とともに正券、損券に応じて放出速度を変化させるようにすれば、それぞれの落下位置を変えることができ、同様に仕分けの時間を短くすることができる。
【産業上の利用可能性】
【００５３】
以上述べたように、本発明は、金融機関等に設置され、紙幣等を金種判別に仕分けする紙幣処理装置に広く用いることができる。
【符号の説明】
【００５４】
１  紙幣処理装置
４  紙幣鑑別部
７ａ１、７ａ２、７ｂ〜７ｄ  集積部
８  ハンド部
９、９ａ〜９ｄ  ガイド
１２  施封部
１２ａ  上部ベルト
１２ｂ  下部ベルト
１３  放出部
１６  制御部
１７  記憶部
２０  紙幣束
【図１】
2011123573.tif 000003
【図２】
2011123573.tif 000004
【図３】
2011123573.tif 000005